(57)【特許請求の範囲】
【請求項１】
筐体と、筐体内に設けられた水槽と、前記水槽内に回転可能に設けられた内槽と、前記筐体の前面に設けられ前記内槽の開口部を開閉する扉と、前記内槽を回転駆動するモータと、給水配管と給水弁とを含み前記水槽内に洗濯水を給水する給水経路と、排水配管と排水弁と排水フィルターとを含み前記水槽の底部に接続されて前記水槽内の洗濯水を機外に排水する排水経路と、前記排水フィルターを含む前記排水経路の途中から分岐して前記水槽の流出部に接続された送風経路と、前記送風経路に設けられた第１の送風部と、洗い、すすぎ、脱水の各工程を逐次制御して洗濯運転を実行する制御部とを備え、
前記制御部は、前記脱水工程の終了後、前記第１の送風部を駆動し、前記水槽内の空気を前記排水フィルターを経由して前記水槽内へ循環させて前記排水フィルターを乾燥させる排水フィルター乾燥工程を実行するように構成されるとともに、
前記制御部は、前記脱水工程が終了してから計時を開始し、使用者が前記ドラム内の洗濯物を取り出すことができる程度の所定時間経過後に前記排水フィルター乾燥工程を実行するように構成された、または、
前記制御部は、前記扉が開かれたことを検知し、再び前記扉が閉じられたことを検知した後、前記排水フィルター乾燥工程を実行するように構成された洗濯機。
【請求項２】
筐体と、筐体内に設けられた水槽と、前記水槽内に回転可能に設けられた内槽と、前記筐体の前面に設けられ前記内槽の開口部を開閉する扉と、前記内槽を回転駆動するモータと、給水配管と給水弁とを含み前記水槽内に洗濯水を給水する給水経路と、排水配管と排水弁と排水フィルターとを含み前記水槽の底部に接続されて前記水槽内の洗濯水を機外に排水する排水経路と、前記排水フィルターを含む前記排水経路の途中から分岐して前記水槽の流出部に接続された送風経路と、前記送風経路に設けられた第１の送風部と、流入部と流出部とを前記水槽に有して前記内槽内の洗濯物を乾燥させる乾燥送風経路と、前記乾燥送風経路に設けられた第２の送風部と、洗い、すすぎ、脱水の各工程を逐次制御して洗濯運転を実行するとともに、運転コースに応じて、前記洗濯運転に含まれる脱水工程の後に前記第２の送風部を駆動し、前記水槽内の空気を前記乾燥送風経路を経由して前記水槽内へ循環させて前記内槽内の洗濯物を乾燥させる乾燥工程を実行するように構成された制御部とを備え、
前記制御部は、運転コースに応じて前記脱水工程または前記乾燥工程の終了後、前記第１
の送風部を駆動し、前記水槽内の空気を前記排水フィルターを経由して前記水槽内へ循環させて前記排水フィルターを乾燥させる排水フィルター乾燥工程を実行するように構成された洗濯機。
【請求項３】
前記制御部は、前記脱水工程が終了してから計時を開始し、使用者が前記ドラム内の洗濯物を取り出すことができる程度の所定時間経過後に前記排水フィルター乾燥工程を実行するように構成された、または、
前記制御部は、前記扉が開かれたことを検知し、再び前記扉が閉じられたことを検知した後、前記排水フィルター乾燥工程を実行するように構成された請求項２記載の洗濯機。
【請求項４】
前記乾燥送風経路と前記送風経路とが前記水槽への流出部の手前で合流するとともに、合流したいずれか一方の経路が前記流出部に連通するように切り替える風路切替部を備え、前記制御部は、前記乾燥工程時に前記乾燥送風経路が連通するように前記風路切替部を切り替え、前記排水フィルター乾燥工程時に前記送風経路が連通するように前記風路切替部を切り替えるように構成された請求項２または３記載の洗濯機。
【請求項５】
前記流出部と前記風路切替部との間に加熱部を備え、前記制御部は、前記排水フィルター乾燥工程において前記加熱部により前記排水フィルターを通過した空気を加熱するようにした請求項４記載の洗濯機。
【請求項６】
前記送風経路が前記乾燥送風経路の前記流入部の直後に合流するとともに、合流したいずれか一方の経路が前記流出部に連通するように切り替える風路切替部を備え、前記制御部は、前記乾燥工程時に前記乾燥送風経路が連通するように前記風路切替部を切り替え、前記排水フィルター乾燥工程時に前記送風経路が連通するように前記風路切替部を切り替えるように構成された請求項２または３記載の洗濯機。
【請求項７】
前記水槽の後部と前記内槽の後部に各々対向して突設した複数の環状突起を嵌合させて、前記水槽の排水口と前記流出部との空気の流通を防止するように形成されたラビリンスシールを有し、
前記送風経路は、前記流出部を前記ラビリンスシールの外側で、前記内槽を経由することなく前記排水口に到達する側に設けられた請求項１〜３のいずれか１項に記載の洗濯機。
【請求項８】
前記送風経路に消臭部を備え、前記消臭部は、前記排水フィルターの下流側に配設された請求項１〜７のいずれか１項に記載の洗濯機。
【請求項９】
前記送風経路に除湿部を備え、前記消臭部は、前記除湿部の下流側に配設された請求項８記載の洗濯機。
【発明の詳細な説明】
【技術分野】
【０００１】
本発明は、衣類等の洗濯物を洗う洗濯機に関するものである。
【背景技術】
【０００２】
従来、この種の洗濯機は、洗濯物から発生したリントや異物を捕集するフィルター装置が排水経路に設けられている（例えば、特許文献１参照）。特許文献１に記載された洗濯機において、洗濯に使用された洗濯水、および、脱水工程で洗濯物から分離した水分は、水槽の下方に設けられた排水経路を通して機外へ排出され、排水経路に設けられたフィルター装置を通過する。このため、洗濯が終わった後も、排水経路およびフィルター装置に捕集されたリントは濡れた状態である。
【０００３】
また、洗濯から乾燥までを続けて行うことができる乾燥機能を具備した洗濯機、所謂洗濯乾燥機も一般的である（例えば、特許文献２参照）。特許文献２に記載された洗濯乾燥機において、温風循環乾燥工程では、内槽内の空気が送風路を通って内槽内の洗濯物の乾燥を進行させながら循環する。このため、乾燥用空気は排水経路には流れず、排水経路は運転終了後も濡れた状態である。
【０００４】
また、吸気乾燥工程では、開かれた吸気弁から送風部に吸い込まれた空気は、洗濯物から水分を奪って排水路を通り、排水トラップの水封じを破って排出される。このとき、排水路を通過する空気は、洗濯物から水分を奪った湿った空気であり、洗濯物の乾燥の進行にともなって乾いた空気が排水路を流れる。吸気乾燥工程の最終段階においては、排水路を経由して排水トラップに水を供給し、水封じを回復させるようにしている。このため、排水路は水で濡れた状態で運転を終了する。運転終了後は、吸気弁を開いた状態にして外槽および送風路内を換気し、カビの発生を防ぐようにしている。
【０００５】
また、乾燥機能を具備した洗濯機において、排水路に排水を利用した除湿部が設けられている（例えば、特許文献３参照）。特許文献３に記載された洗濯機において、衣類乾燥時は、衣類乾燥用熱風を排水路の排水制御弁および排水フィルターを通して除湿部へ導入し、同熱風を水冷にて除湿した後、乾燥部に戻して循環させる。除湿部には所定量の排水が貯蔵され、この除湿部を通過する衣類乾燥用熱風が貯蔵された排水で冷却されて除湿されるようにしたものである。
【先行技術文献】
【特許文献】
【０００６】
【特許文献１】特開２０１０−１３６７４０号公報
【特許文献２】特開２０１０−２４６７０９号公報
【特許文献３】実開平２−７１４８３号公報
【発明の概要】
【発明が解決しようとする課題】
【０００７】
しかしながら、前記特許文献１、２に記載された構成では、洗濯が終わった後も、排水経路および排水経路に設けられた排水フィルターは濡れた状態である。このため、濡れた状態のままで放置されると、雑菌等の繁殖により異臭が発生するという問題があった。
【０００８】
また、特許文献３に記載された構成では、排水路に設けられた除湿部に排水が貯蔵されるため、洗濯が終わった後も濡れた状態である。そして、洗濯後、除湿部に排水の一部を貯蔵した状態で衣類乾燥工程へ移行し、排水口から除湿部に送風される衣類乾燥用熱風は
、リントを捕集した排水フィルターを通過する。ところが、リントは洗濯水の排水で濡れた状態である。このため、通風抵抗が大きく、十分な風量を確保することが難しく、良好な乾燥性能を実現することが難しいという問題があった。
【０００９】
本発明は、前記従来の課題を解決するもので、洗濯運転の終了後、排水フィルターを乾いた状態にし、不快臭の発生を抑制するようにした洗濯機を提供することを目的とする。
【課題を解決するための手段】
【００１０】
前記従来の課題を解決するために、本発明の洗濯機は、筐体と、筐体内に設けられた水槽と、前記水槽内に回転可能に設けられた内槽と、前記内槽を回転駆動するモータと、給水配管と給水弁とを含み前記水槽内に洗濯水を給水する給水経路と、排水配管と排水弁と排水フィルターとを含み前記水槽の底部に接続されて前記水槽内の洗濯水を機外に排水する排水経路と、前記排水フィルターを含む前記排水経路の途中から分岐して前記水槽の流出部に接続された送風経路と、前記送風経路に設けられた第１の送風部と、洗濯運転を実行する制御部とを備え、前記制御部は、前記第１の送風部を駆動し、前記水槽内の空気を前記排水フィルターを経由して前記水槽内へ循環させて前記排水フィルターを乾燥させる排水フィルター乾燥工程を実行するように構成されたものである。
【００１１】
これによって、洗濯運転の終了後、洗濯水の排水で濡れた排水フィルターを乾いた状態にすることができ、不快臭の発生を抑制することができる。
【発明の効果】
【００１２】
本発明の洗濯機は、洗濯運転の終了後、排水フィルターを乾いた状態にして不快臭の発生を抑制することができる。
【図面の簡単な説明】
【００１３】
【図１】本発明の実施の形態１における洗濯機の概略構成図
【図２】本実施の形態における洗濯機のブロック構成図
【図３】本実施の形態における洗濯機の消臭部の湿度に対する吸着特性グラフ
【図４】本実施の形態における洗濯機の消臭部の温度に対する吸着特性グラフ
【図５】本発明の実施の形態２における洗濯機の概略構成図
【図６】本実施の形態における洗濯機の要部拡大図
【図７】本実施の形態における洗濯機の系統図
【図８】本実施の形態における洗濯機のブロック構成図
【図９】本発明の実施の形態３における洗濯機の系統図
【図１０】本発明の実施の形態４における洗濯機の系統図
【図１１】本発明の実施の形態５における洗濯機の要部拡大図
【発明を実施するための形態】
【００１４】
第１の発明は、筐体と、筐体内に設けられた水槽と、前記水槽内に回転可能に設けられた内槽と、前記筐体の前面に設けられ前記内槽の開口部を開閉する扉と、前記内槽を回転駆動するモータと、給水配管と給水弁とを含み前記水槽内に洗濯水を給水する給水経路と、排水配管と排水弁と排水フィルターとを含み前記水槽の底部に接続されて前記水槽内の洗濯水を機外に排水する排水経路と、前記排水フィルターを含む前記排水経路の途中から分岐して前記水槽の流出部に接続された送風経路と、前記送風経路に設けられた第１の送風部と、洗い、すすぎ、脱水の各工程を逐次制御して洗濯運転を実行する制御部とを備え
、前記制御部は、前記脱水工程の終了後、前記第１の送風部を駆動し、前記水槽内の空気を前記排水フィルターを経由して前記水槽内へ循環させて前記排水フィルターを乾燥させる排水フィルター乾燥工程を実行するように構成されるとともに、前記制御部は、前記脱水工程が終了してから計時を開始し、使用者が前記ドラム内の洗濯物を取り出すことができる程度の所定時間経過後に前記排水フィルター乾燥工程を実行するように構成された、または、前記制御部は、前記扉が開かれたことを検知し、再び前記扉が閉じられたことを検知した後、前記排水フィルター乾燥工程を実行するように構成された洗濯機である。これにより、洗濯運転の終了後、洗濯水の排水で濡れた排水フィルターを乾いた状態にすることができ、不快臭の発生を抑制することができる。また、排水フィルターに捕集したリントが固まり、使用者はリントの廃棄を容易に行うことができる。
【００１６】
第２の発明は、筐体と、筐体内に設けられた水槽と、前記水槽内に回転可能に設けられた内槽と、前記筐体の前面に設けられ前記内槽の開口部を開閉する扉と、前記内槽を回転駆動するモータと、給水配管と給水弁とを含み前記水槽内に洗濯水を給水する給水経路と、排水配管と排水弁と排水フィルターとを含み前記水槽の底部に接続されて前記水槽内の洗濯水を機外に排水する排水経路と、前記排水フィルターを含む前記排水経路の途中から分岐して前記水槽の流出部に接続された送風経路と、前記送風経路に設けられた第１の送風部と、流入部と流出部とを前記水槽に有して前記内槽内の洗濯物を乾燥させる乾燥送風経路と、前記乾燥送風経路に設けられた第２の送風部と、洗い、すすぎ、脱水の各工程を逐次制御して洗濯運転を実行するとともに、運転コースに応じて、前記洗濯運転に含まれる脱水工程の後に前記第２の送風部を駆動し、前記水槽内の空気を前記乾燥送風経路を経由して前記水槽内へ循環させて前記内槽内の洗濯物を乾燥させる乾燥工程を実行するように構成された制御部とを備え、前記制御部は、運転コースに応じて前記脱水工程または前記乾燥工程の終了後、前記第１の送風部を駆動し、前記水槽内の空気を前記排水フィルターを経由して前記水槽内へ循環させて前記排水フィルターを乾燥させる排水フィルター乾燥工程を実行するように構成された洗濯機である。これにより、運転コースに応じて洗濯運転の終了後、または、乾燥工程の終了後に洗濯水の排水で濡れた排水フィルターを乾いた状態にすることができ、不快臭の発生を抑制することができる。
また、乾燥工程によって洗濯物から放出された水分が排水フィルターを通して排水経路を流れなくなり、水槽内も乾いた状態となってから排水フィルター乾燥工程を行うので、排水フィルターを効率よく乾燥させることができる。
【００１７】
第３の発明は、特に、第２の発明において、前記制御部は、前記脱水工程が終了してから計時を開始し、使用者が前記ドラム内の洗濯物を取り出すことができる程度の所定時間経過後に前記排水フィルター乾燥工程を実行するように構成された、または、
前記制御部は、前記扉が開かれたことを検知し、再び前記扉が閉じられたことを検知した
後、前記排水フィルター乾燥工程を実行するように構成されたものである。
【００１８】
第４の発明は、特に、第２または第３の発明において、前記乾燥送風経路と前記送風経路とが前記水槽への流出部の手前で合流するとともに、合流したいずれか一方の経路が前記流出部に連通するように切り替える風路切替部を備え、前記制御部は、前記乾燥工程時に前記乾燥送風経路が連通するように前記風路切替部を切り替え、前記排水フィルター乾燥工程時に前記送風経路が連通するように前記風路切替部を切り替えるように構成されたものである。これにより、水槽に流出部を複数設ける必要がなく、水槽、乾燥送風経路および送風経路の構成および切り替えを合理的に行うことができる。
【００１９】
第５の発明は、特に、第４の発明において、前記流出部と前記風路切替部との間に加熱部を備え、前記制御部は、前記排水フィルター乾燥工程において前記加熱部により前記排水フィルターを通過した空気を加熱するようにしたものである。これにより、乾燥工程時の乾燥用空気の加熱と、排水フィルター乾燥工程時の乾燥用空気の加熱とを第３の加熱部を兼用して効率よく加熱することができる。
【００２０】
第６の発明は、特に、第２または第３の発明において、前記送風経路が、前記乾燥送風経路の流入部の直後に合流するとともに、合流したいずれか一方の経路が前記流出部に連通するように切り替える風路切替部を備え、前記制御部は、前記乾燥工程時に前記乾燥送風経路が連通するように前記風路切替部を切り替え、前記排水フィルター乾燥工程時に前記送風経路が連通するように前記風路切替部を切り替えるように構成されたものである。これにより、水槽の流出部と乾燥機能である除湿部、加熱部および送風部を複数設ける必要がなく、水槽、乾燥送風経路および送風経路の構成および切り替えを合理的に行うことができる。また、これらを兼用して効率よく排水フィルター乾燥工程および乾燥工程を行うことができる。
【００２１】
第７の発明は、特に、第１〜第３のいずれか１つの発明において、前記水槽の後部と前記内槽の後部に各々対向して突設した複数の環状突起を嵌合させて、前記水槽の排水口と前記流出部との空気の流通を防止するように形成されたラビリンスシールを有し、前記送風経路は、前記流出部を前記ラビリンスシールの外側で、前記内槽を経由することなく前
記排水口に到達する側に設けられたものである。これにより、送風経路から水槽へ流出した乾燥用空気は、内槽内を経由することなく排水口から排水経路へ流入させることができ、排水フィルター乾燥工程時における乾燥用空気の循環を効率よく迅速に行うことができる。
【００２３】
第８の発明は、特に、第１〜第７のいずれか１つの発明において、前記送風経路に消臭部を備え、前記消臭部は、前記排水フィルターの下流側に配設されたものである。これにより、排水フィルター乾燥工程で発生した臭気を消臭することができる。
【００２４】
第９の発明は、特に、第８の発明において、前記送風経路に除湿部を備え、前記消臭部は、前記除湿部の下流側に配設されたものである。これにより、冷却されるとともに除湿された空気が消臭部を通過することにより、消臭部は、吸着特性に優れた温度と湿度で臭気物質の吸着特性を高めて効果的に消臭性能を発揮することができる。
【００２５】
以下、本発明の実施の形態について、図面を参照しながら説明する。なお、この実施の形態によって本発明が限定されるものではない。
【００２６】
（実施の形態１）
図１は、本発明の実施の形態１における洗濯機の概略構成図である。図２は、本実施の形態における洗濯機のブロック構成図である。
【００２７】
図１に示されるように、筐体１内にダンパー１ａにより弾性支持された水槽２が設けられている。水槽２内には衣類等の洗濯物（以下、衣類または洗濯物という）を収容する内槽として、有底円筒状のドラム３が回転可能に設けられている。ドラム３は、回転軸３ａが角度θ（例えば、５〜２０度）で前上がりに傾斜するように設けられている。
【００２８】
衣類を出し入れする開口部６がドラム３の前面側に設けられている。ドラム３の周側面の内側には、内方へ突出した複数のバッフル４が設けられ、ドラム３がゆっくり回転するときに洗濯物を持ち上げる。また、ドラム３の周側面には、水槽２内と連通する多数の小孔５が設けられている。ドラム３の前面側には、ドラム３が回転する際に洗濯物の偏り等によって発生する振動を低減するためのバランサ７が、開口部６を取り囲むように環状に形成されている。
【００２９】
ドラム３を回転駆動するモータ８が水槽２の後面に取り付けられている。モータ８は、ブラシレス直流モータで構成され、インバータ制御によって回転速度を自在に変化させることができるようになっている。
【００３０】
水槽２内に洗濯水を給水する給水経路は、給水弁９と給水配管１０と洗剤ケース１１とを含む。給水弁９は、水道等に接続された給水配管１０に設けられて給水経路を開閉する。洗濯水は、給水配管１０を通り、給水弁９と洗剤ケース１１とを経て、水槽２の後方上部に設けられた給水口１２から水槽２内に流入する。このとき、洗濯の開始時の洗い工程であれば、洗剤ケース１１に投入された洗剤が水道水とともに洗濯水として水槽２に供給され、すすぎ時であれば水道水だけが洗濯水として供給される。水槽２内の底部に溜まった洗濯水は小孔５からドラム３内に流入する。給水口１２はドラム３の後部で水槽２内と連通している。
【００３１】
水槽２内の洗濯水を排水する排水経路は、排水弁１３と排水配管１４と排水フィルター１６とを含む。排水弁１３は、排水配管１４に設けられて排水経路を開閉する。排水時は、水槽２内の洗濯水が水槽２の底部に設けられた排水口１５から排水配管１４に流入し、排水弁１３が開放されて機外へ排出される。排水フィルター１６が排水口１５と排水弁１３との間の排水配管１４に設けられている。排水フィルター１６は、洗濯物から分離した糸くずやほこりなどのリントや釦等の異物を捕集する。
【００３２】
排水経路には、排水フィルター１６を含む排水配管１４の途中から分岐して水槽２の後部に設けられた流出部２０に接続された送風経路１７が接続されている。送風経路１７は、排水フィルター１６と排水弁１３との間に設けられた切替弁１８を介して排水経路から分岐し、流出部２０に連通する。そして、第１の送風部１９が送風経路１７に設けられている。第１の送風部１９によって送風経路１７に送風される乾燥用空気は、排水口１５から排水配管１４に流入し、排水フィルター１６を通過する。その後、切替弁１８を通して流出部２０から水槽２内へ流出して循環する。流出部２０は、水槽２内の洗濯水の水位が上昇した場合でも、送風経路１７への流入が防止できる位置に配設されている。すなわち、水槽２の溢水口（図示せず）より上方が望ましく、例えば、回転軸３ａより上方に配設されている。
【００３３】
従って、送風経路１７は、切替弁１８を介して流出部２０が設けられた上方向へ形成されている。送風経路１７を流れる乾燥用空気は、排水フィルター１６を通過し、切替弁１８から流出部２０に向かって、第１の除湿部２１、消臭部２２、第１の送風部１９、第１の加熱部２３の順に通過する。第１の除湿部２１は、水冷式または空冷式の熱交換器などによって構成されている。消臭部２２は、活性炭やゼオライトなどの吸着剤で構成されている。第１の加熱部２３は、ヒータなどで構成されている。また、ドラム３の後面と水槽２の内側との間にラビリンスシール２４が形成されている。ラビリンスシール２４は、水槽２の後部とドラム３の後部に各々対向して突設した複数の環状突起を嵌合させて形成され、水槽２の排水口１５と流出部２０との空気の流通を防止している。
【００３４】
制御部２５は、筐体１内の上方前部に設けられている。制御部２５の上部には、使用者が洗濯運転を設定する操作表示部３０が設けられている。図２に示されるように、制御部２５は、モータ８、給水弁９、排水弁１３、切替弁１８、第１の送風部１９、第１の加熱部２３などを制御し、洗い、すすぎ、脱水の各工程を逐次制御して洗濯運転を実行する。さらに、制御部２５は、洗濯運転の終了後、送風経路１７に送風して排水フィルター１６を乾燥させる排水フィルター乾燥工程を実行する。また、制御部２５には、ドラム３内に投入された洗濯物の量を検知する布量検知部２６の出力と、水槽２内に給水された洗濯水の量を検知する水位検知部２７の出力と、ドラム３の駆動を検知する回転検知部２８などの出力が入力される。また、制御部２５は、時間を計測するタイマー部３１を有している。
【００３５】
なお、筐体１の前面に開閉自在な扉２９が設けられている。使用者は、扉２９を開くことにより、ドラム３の開口部６から洗濯物を出し入れすることができる。
【００３６】
以上のように構成された洗濯機について、以下その動作と作用を説明する。
【００３７】
まず、使用者が、筐体１の扉２９を開いて開口部６からドラム３内に洗濯物を投入する。そして、操作表示部３０の電源スイッチ（図示せず）を入れ、洗濯運転の設定を行い、スタートスイッチ（図示せず）を操作して運転を開始する。洗濯運転の設定に従い、制御部２５は、例えば、洗い工程、中間脱水工程、すすぎ工程Ａ、すすぎ工程Ｂ、最終脱水工程（脱水工程）、排水フィルター乾燥工程の順に逐次制御する。
【００３８】
洗濯運転の開始により洗い工程が実行される。洗い工程は、さらに細分化された５つの動作を含む。制御部２５は、最初に布量検知動作を行い、ドラム３内に投入された洗濯物の量を布量検知部２６によって検知する。洗濯物の量は、ドラム３を回転駆動し、ドラム３の回転時にモータ８にかかるトルク負荷や、モータ８の電流値などから検知することができる。
【００３９】
制御部２５は、検知した洗濯物の量に応じて、洗い、すすぎ、脱水等の各工程の時間と洗濯水量を設定するとともに、洗濯物の量に応じて設定された洗剤量を操作表示部３０に表示する。使用者は、操作表示部３０に表示された洗剤量にしたがって洗剤を洗剤ケース１１に投入する。
【００４０】
制御部２５は、布量検知動作が終われば給水動作を行う。洗い工程における給水動作では、水道水が、開かれた給水弁９から給水配管１０を通って洗剤ケース１１に入る。そして、洗剤ケース１１の中の洗剤を溶かしながらさらに給水配管１０を流れ、ドラム３に設けられた給水口１２から水槽２内に洗濯水として供給される。水槽２内の底部に溜まった洗濯水は、小孔５からドラム３内に流入する。このとき、切替弁１８は、排水配管１４から分岐した送風経路１７側を閉じるように切り替えられており、排水弁１３は閉じられている。制御部２５は、水槽２内に溜まった洗濯水の量を水位検知部２７で検知する。そして、洗濯物の量に応じて予め設定された所定量の洗濯水が給水されると給水弁９を閉じる。
【００４１】
制御部２５は、給水動作が終われば叩き洗い動作を行う。叩き洗いは、洗濯物がバッフル４によってドラム３の回転方向へ持ち上げられた後、ドラム３内の上部から落下し、ドラム３の底面あるいはドラム３の底部に留まっている洗濯物に叩きつけられることにより、洗剤による化学力と併せて、その機械力によって洗浄が行われる洗い方である。ドラム３は、モータ８によってドラム３内の洗濯物が叩き洗いされる回転数、例えば、４５ｒ／ｍｉｎで駆動される。ドラム３は、正回転と逆回転とを交互に所定時間ずつ駆動されると洗浄効果が高まり、より望ましい。
【００４２】
制御部２５は、洗い工程を終了すると排水弁１３を開放状態にして水槽２内の洗濯水を排水する。洗濯水は、水槽２の底部に設けられた排水口１５から排水配管１４へ流出し、排水フィルター１６を通過して開かれた排水弁１３を通って機外へ排出される。排水フィルター１６の通過時に、洗濯水に含まれるリントや異物が捕集される。
【００４３】
制御部２５は、排水が終了すると中間脱水工程へと移行し、さらに、すすぎ工程Ａ、すすぎ工程Ｂ、最終脱水工程の順に実行する。洗濯の最終工程である脱水工程が終了すると洗濯物の洗濯運転が終了となる。
【００４４】
制御部２５は、洗濯運転の終了後、すなわち、洗濯の最終工程である脱水工程が終了してからタイマー部３１により計時を開始し、所定時間経過後に排水フィルター乾燥工程を実行する。所定時間は、洗濯終了後にドラム３内の洗濯物を取り出すために必要な時間であり、例えば、約５分である。これによって、洗濯運転の終了後、排水フィルター乾燥工程が開始されるまでに、使用者はドラム３内の洗濯物を取り出すことができる。そして、制御部２５は、ドラム３内に洗濯物がない状態で排水フィルター乾燥工程を実行することができる。
【００４５】
なお、タイマー部３１に代えて、ドラム３から洗濯物の取り出しを検知する取り出し検知部（図示せず）を設けてもよい。制御部２５は、取り出し検知部により、使用者が洗濯物をドラム３から取り出す動作として、扉２９が開かれたことを検知し、再び扉２９が閉
じられたことを検知した後、排水フィルター乾燥工程を実行する。特に、予約運転が実行された時は洗濯運転の終了時に使用者が近くにいない可能性が高いため、取り出し検知部によって排水フィルター乾燥工程を実行するのが望ましい。
【００４６】
排水フィルター乾燥工程における乾燥用空気の流れを具体的に説明する。制御部２５は、第１の送風部１９を駆動して送風経路１７に乾燥用空気を送風する。送風された乾燥用空気は、第１の送風部１９から第１の加熱部２３を通過して加熱される。加熱された乾燥用空気は、流出部２０から水槽２内へ流出し、ラビリンスシール２４の内側を経てドラム３内に流入する。そして、小孔５を通って水槽２内のラビリンスシール２４の外側を経て、底部に設けられた排水口１５から排水配管１４に流入する。
【００４７】
排水配管１４に流入した乾燥用空気は、排水フィルター１６を通り、排水フィルター１６に捕集されたリントなどから水分を奪って高湿度になる。さらに乾燥用空気は、排水配管１４から分岐した送風経路１７側へ流れるように切り替えられた切替弁１８を経て、送風経路１７を上方へ流れる。
【００４８】
排水フィルター１６を通過して高湿度になった乾燥用空気は、第１の除湿部２１を通過して冷却され除湿される。この低温の乾いた乾燥用空気は、消臭部２２を通過して臭気物質を吸着される。臭気物質が除去された乾燥用空気は、再び第１の送風部１９を経て
送風経路１７と水槽２内を循環する。
【００４９】
このように排水フィルター乾燥工程を行うことによって、脱水工程後、加熱された乾いた温風でドラム３、水槽２、排水フィルター１６および送風経路１７などを乾燥させることができ、濡れた状態で放置されることがない。
【００５０】
特に、排水フィルター１６で捕集したリントや汚れ物質を乾燥させることによって、リントや汚れ物質を生息場所やエサ物質とする菌やカビ等の生育を抑制することができる。また、菌やカビの生育にともなって発生する代謝物である不快臭の発生を抑制し、発生した臭気を、消臭部２２で吸着して除去することができる。
【００５１】
消臭部２２は、例えば活性炭で構成された場合、図３の消臭部の湿度に対する吸着特性グラフに示されるように、相対湿度が高くなると吸着量が低下する。また、図４の消臭部の温度に対する吸着特性グラフに示されるように、温度が高くなると吸着量が低下する。本実施の形態では、第１の除湿部２１は、排水フィルター１６の下流側で、かつ、消臭部２２の上流側に設けられている。これによって、冷却除湿された低温の乾いた空気が消臭部２２を通過する。このため、消臭部２２は、吸着特性に優れた温度と湿度で効果的に消臭性能を発揮することができる。
【００５２】
また、消臭部２２の下流側に加熱部２３が設けられ、消臭部２２を通過した空気が加熱部２３により加熱されて排水フィルター１６へ送風される。このため、高温に加熱された空気で消臭部２２を加熱することなく排水フィルター１６へ送風することができ、臭気物質の吸着特性を高めることができる。なお、消臭部２２は、使用後に扉２９が閉じられた状態でも、排水フィルター１６と連通する水槽２およびドラム３内に不快臭がこもるのを防ぐことができる。
【００５３】
以上のように、本実施の形態の洗濯機は、排水フィルター１６を含む排水経路の途中から分岐して水槽２の流出部２０に接続された送風経路１７と、送風経路１７に設けられた第１の送風部１９と、洗濯運転を実行する制御部２５とを備え、制御部２５は、第１の送風部１９を駆動し、水槽２内の空気を排水フィルター１６を経由して水槽２内へ循環させて排水フィルター１６を乾燥させる排水フィルター乾燥工程を実行するように構成された
ものである。これによって、洗濯運転の終了後、洗濯水の排水で濡れた排水フィルター１６を乾いた状態にすることができ、不快臭の発生を抑制することができる。
【００５４】
また、制御部２５は、洗濯運転に含まれる脱水工程の後に排水フィルター乾燥工程を実行するように構成されたものである。これによって、脱水工程では、洗濯物から分離した水分がドラム３および水槽２から排水経路を通して機外へ排出される。洗濯物の脱水の進行にともなって水は排水経路を流れなくなり、排水フィルター１６を効率よく乾燥させることができる。
【００５５】
また、制御部２５は、時間を計測するタイマー部３１を有し、脱水工程を終了してから計時を開始して所定時間後に排水フィルター乾燥工程を実行するように構成されたものである。これによって、脱水工程の終了後、ドラム３内の洗濯物が取り出された後に、排水フィルター乾燥工程が実行されるようにすることができ、排水フィルター１６が濡れた状態で放置される時間を短くして乾燥させることができる。
【００５６】
また、消臭部２２は、排水フィルター１６の下流側の送風経路１７に配設されたものである。これによって、排水フィルター乾燥工程で発生した臭気を消臭することができる。
【００５７】
また、消臭部２２は、除湿部２１の下流側の送風経路１７に配設されたものである。これによって、冷却されるとともに除湿された空気が消臭部２２通過することにより、消臭部２２は、吸着特性に優れた温度と湿度で臭気物質の吸着特性を高めて効果的に消臭性能を発揮することができる。
【００５８】
なお、ヒートポンプ装置を備え、第１の除湿部２１を蒸発器で構成し、第１の加熱部２３を凝縮器で構成してもよい。
【００５９】
（実施の形態２）
図５は、本発明の実施の形態２における乾燥機能を具備した洗濯機の概略構成図である。図６は、本実施の形態における洗濯機の風路切替部の拡大図である。図７は、本実施の形態における洗濯機の系統図である。図８は、本実施の形態における洗濯機のブロック構成図である。本実施の形態にける洗濯機の特徴は、脱水工程までの洗濯運転が終了したドラム３内の洗濯物を乾燥させる乾燥機能を具備したことである。他の構成は実施の形態１と同じであり、同一の構成に同一の符号を付して、詳細な説明は実施の形態１のものを援用する。
【００６０】
図５〜図８において、制御部２５は、洗い、すすぎ、脱水の各工程に加えて、乾燥工程を制御する。使用者は、洗濯した洗濯物を同一のドラム３内で、脱水工程に続けて乾燥工程を実行することができる。また、使用者は、ドラム３内に洗濯物を投入し、乾燥工程だけを実行することができる。
【００６１】
本実施の形態にける洗濯機は、乾燥機能として、ドラム３内の空気を第２の除湿部３２および第２の加熱部３３を通して第２の送風部４０によりドラム３内へ循環させる乾燥送風経路３４が設けられている。さらに、乾燥送風経路３４にはヒートポンプ装置３５が設けられ、ヒートポンプ装置３５の蒸発器が第２の除湿部３２として構成され、凝縮器が第２の加熱部３３として構成されている。
【００６２】
ヒートポンプ装置３５は、圧縮機３６と、凝縮器（第２の加熱部３３）と、絞り部３７と、蒸発器（第２の加熱部３２）を冷媒が循環するように配管３９で連結されている。圧縮機３６で圧縮されて高温高圧となったガス冷媒の熱が凝縮器で放熱して液化され、凝縮器を出た高圧の液冷媒が絞り部３７で減圧されて低温低圧となり、蒸発器で乾燥用空気か
ら熱を奪ってガス冷媒となって圧縮機３６に戻る。
【００６３】
本実施の形態では、乾燥送風経路３４と送風経路１７とが水槽２への流出部２０の手前で合流し、合流部分には風路切替部４１が設けられている。風路切替部４１は、乾燥送風経路３４と送風経路１７のうちいずれか一方の経路が流出部２０に連通するように切り替える。
【００６４】
図６に示されるように、制御部２５は、乾燥工程時に風路切替部４１を（ａ）側に切り替え、第２の送風部４０を駆動する。これによって、乾燥用空気は、矢印Ａのように乾燥送風経路３４から流出部２０へ流れる。
【００６５】
すなわち、水槽２の上方前部に設けられた流入部４２から乾燥送風経路３４に流入した乾燥用空気は、第２の除湿部３２を通過して冷却されて除湿され、第２の加熱部３３を通過して加熱される。加熱された乾燥用空気は、風路切替部４１を経て流出部２０から水槽２内へ流出し、ラビリンスシール２４の内側を経てドラム３内へ流入する。ドラム３内へ流入した乾燥用空気は濡れた洗濯物からから水分を奪って高湿度になる。そして、小孔５を通って水槽２内のラビリンスシール２４の外側を経て、再び水槽２の上方前部に設けられた流入部４２から乾燥送風経路３４に流入し、第２の除湿部３２を通過して冷却されて除湿される。このように、乾燥用空気が乾燥送風経路３４と水槽２内を循環することによって、ドラム３内の洗濯物の乾燥を進行させる。
【００６６】
また、排水フィルター乾燥工程は、乾燥工程を実行した後に実行される。制御部２５は、排水フィルター乾燥工程時に風路切替部４１を（ｂ）側に切り替え、第１の送風部１９を駆動する。これによって、乾燥用空気は、矢印Ｂのように乾燥送風経路３４から流出部２０へ流れる。
【００６７】
この排水フィルター乾燥工程における乾燥用空気の流れは、実施の形態１で説明したものと同様である。すなわち、第１の送風部１９が駆動されることによって排水口１５から排水配管１４に流入した乾燥用空気は、排水フィルター１６を通過後、切替弁１８を経て除湿部２１、消臭部２２、第１の送風部１９、加熱部２３を通過する。そして、風路切替部４１を経て流出部２０からドラム３内へ流入し、循環することによって、排水フィルター１６の乾燥を進行させる。また、制御部２５は、乾燥工程が終了してからタイマー部３１により計時を開始し、所定時間経過後に排水フィルター乾燥工程を実行するようにしてもよい。
【００６８】
なお、乾燥機能を具備した洗濯機においても、乾燥工程を実行せずに洗濯運転のみを行う場合は、洗濯運転の最終工程である脱水工程後に排水フィルター乾燥工程を実行する。また、制御部２５は、洗濯運転の終了後、すなわち、洗濯の最終工程である脱水工程が終了してからタイマー部３１により計時を開始し、所定時間経過後に排水フィルター乾燥工程を実行するようにしてもよい。
【００６９】
以上のように、本実施の形態の洗濯機は、流入部と流出部とを水槽２に有してドラム３内の洗濯物を乾燥させる乾燥送風経路３４と、乾燥送風経路３４に設けられた第２の送風部４０とを備え、制御部２５は、洗濯運転に含まれる脱水工程の後に第２の送風部４０を駆動し、水槽２内の空気を乾燥送風経路３４を経由して水槽２内へ循環させてドラム３内の洗濯物を乾燥させる乾燥工程を実行するように構成されたものである。これによって、運転コースに応じて洗濯運転の終了後、または、乾燥工程の終了後に、洗濯水の排水で濡れた排水フィルター１６を乾いた状態にすることができ、不快臭の発生を抑制することができる。
【００７０】
また、制御部２５は、乾燥工程の後に排水フィルター乾燥工程を実行するように構成されたものである。これによって、乾燥工程によって洗濯物から放出された水分が排水フィルターを通して排水経路を流れなくなり、水槽内も乾いた状態となってから排水フィルター乾燥工程を行うので、排水フィルターを効率よく乾燥させることができる。
【００７１】
また、乾燥送風経路３４と送風経路１７とが前記水槽への流出部の手前で合流するとともに、合流したいずれか一方の経路が流出部２０に連通するように切り替える風路切替部４１を備え、制御部２５は、乾燥工程時に乾燥送風経路３４が連通するように風路切替部４１を切り替え、排水フィルター乾燥工程時に送風経路１７が連通するように風路切替部４１を切り替えるように構成されたものである。これによって、水槽２に流出部２０を複数設ける必要がなく、水槽２、乾燥送風経路３４および送風経路１７の構成および切り替えを合理的に行うことができる。
【００７２】
また、制御部２５は、時間を計測するタイマー部３１を有し、脱水工程または乾燥工程を終了してから計時を開始して所定時間後に排水フィルター乾燥工程を実行するように構成されたものである。これによって、乾燥工程の終了後、ドラム３内の洗濯物が取り出された後に、排水フィルター乾燥工程が実行されるようにすることができ、排水フィルター１６が濡れた状態で放置される時間を短くして乾燥させることができる。
【００７３】
なお、本実施の形態では、風路切替弁４１を備えて送風経路１７と乾燥送風経路３４の流出部２０を兼用するように構成したが、これに限られるものではなく、風路切替弁４１を用いずに、流出部２０をそれぞれの経路に設けてもよい。
【００７４】
（実施の形態３）
図９は、本発明の実施の形態３における洗濯機の系統図である。本実施の形態の洗濯機の特徴は、実施の形態２に対して、風路切替部４１と流出部２０との間に第３の加熱部４４を設け、乾燥送風経路３４または送風経路１７を通過した空気を第３の加熱部４４により加熱するようにしたものである。加熱部を除く他の構成は実施の形態２と同じであり、同一の構成に同一の符号を付して、詳細な説明は実施の形態１および２のものを援用する。
【００７５】
脱水工程または乾燥工程が終了した後の排水フィルター乾燥工程において、制御部２５は、風路切替部４１を送風経路１７が流出部２０へ連通するように切り替え、第１の送風部１９を駆動する。排水口１５から排水配管１４に流入した乾燥用空気は、排水フィルター１６を通過した後、切替弁１８を経て第１の除湿部２１、消臭部２２、第１の送風部１９、風路切替部４１を経て第３の加熱部４４を通過し、流出部２０から水槽２内へ流入して循環する。
【００７６】
一方、ドラム３内の洗濯物を乾燥させる乾燥工程において、制御部２５は、風路切替部４１を乾燥送風経路３４が流出部２０へ連通するように切り替え、第２の送風部４０を駆動する。流入部４２から乾燥送風経路３４に流入した乾燥用空気は、第２の除湿部３２、第２の送風部４０、風路切替部４１を経て第３の加熱部４４を通過し、流出部２０から水槽２内へ流出し、さらにドラム３内へ流入して循環する。
【００７７】
上記の構成によれば、乾燥工程時の乾燥用空気の加熱と、排水フィルター乾燥工程時の乾燥用空気の加熱とを第３の加熱部４４を兼用して効率よく加熱することができる。
【００７８】
なお、第３の加熱部４４は、ヒータまたはヒートポンプ装置の凝縮器で構成される。第３の加熱部４４がヒータで構成される場合、送風経路１７に設けられた第１の除湿部２１および乾燥送風経路３４に設けられた第２の除湿部３２は、水冷式または空冷式の熱交換
器で構成される。一方、第３の加熱部２３がヒートポンプ装置の凝縮器で構成される場合、第１の除湿部２１および第２の除湿部３２のいずれか一方、またはその両方がヒートポンプ装置の蒸発器で構成される。
【００７９】
（実施の形態４）
図１０は、本発明の実施の形態４における洗濯機の系統図である。本実施の形態の洗濯機の特徴は、実施の形態２に対して、乾燥送風経路３４の流入部４２の直後に送風経路１７が風路切替部４１を介して接続されたものである。すなわち、送風経路１７は乾燥送風経路３４およびその乾燥機能を兼用し、排水フィルター乾燥工程では乾燥送風経路３４のほとんどが送風経路１７となる。他の構成は実施の形態２と同じであり、同一の構成に同一の符号を付して、詳細な説明は実施の形態１および２のものを援用する。
【００８０】
脱水工程または乾燥工程が終了した後の排水フィルター乾燥工程において、制御部２５は、風路切替部４１を送風経路１７が乾燥送風経路３４へ連通するように切り替え、第２の送風部４０を駆動する。排水口１５から排水配管１４に流入した乾燥用空気は、排水フィルター１６を通過した後、切替弁１８を経て第２の除湿部３２、消臭部２２、第２の加熱部３３、第２の送風部４０を経て流出部２０から水槽２内へ流入して循環する。
【００８１】
一方、ドラム３内の洗濯物を乾燥させる乾燥工程において、制御部２５は、風路切替部４１を送風経路１７を閉鎖して乾燥送風経路３４が流出部２０へ連通するように切り替え、第２の送風部４０を駆動する。流入部４２から乾燥送風経路３４に流入した乾燥用空気は、第２の除湿部３２、消臭部２２、第２の加熱部３３、第２の送風部４０を経て流出部２０から水槽２内へ流出し、さらにドラム３内へ流入して循環する。
【００８２】
上記の構成によれば、乾燥工程時の乾燥用空気の除湿および加熱と、排水フィルター乾燥工程時の乾燥用空気の除湿および加熱とを第２の除湿部３２、第２の加熱部３３および第２の送風部４０を兼用して効率よく排水フィルター乾燥工程および乾燥工程を行うことができる。なお、消臭部２２については、乾燥工程時にはバイパスされるように構成されてもよい。
【００８３】
（実施の形態５）
図１１は、本発明の実施の形態５における洗濯機の要部拡大図である。本実施の形態の洗濯機の特徴は、実施の形態１において、送風経路１７から水槽２内への空気の流出部２０がラビリンスシール２４より外側に形成されたものである。他の構成は実施の形態１と同じであり、同一の構成に同一の符号を付して、詳細な説明は実施の形態１のものを援用する。
【００８４】
制御部２５が第１の送風部１９を駆動すると、排水フィルター１６を通過した乾燥用空気は、ラビリンスシール２４より外側に設けされた流出部２０から水槽２内に流出する。そして、ラビリンスシール２４より外側で水槽２とドラム３との隙間を通り、ドラム３内を経由することなく排水口１５に到達し、排水配管１４に流入して循環する。
【００８５】
上記の構成によれば、送風経路１７から水槽２へ流出した乾燥用空気は、ドラム３内を経由することなく排水口１５から排水配管１４へ流入させることができ、排水フィルター乾燥工程時における乾燥用空気の循環を効率よく迅速に行うことができる。
【００８６】
なお、本発明は、必要に応じて各々の実施の形態の少なくとも一部を適宜組み合わせて実施することができる。例えば、実施の形態２の乾燥機能を組み合わせることも可能であり、この場合には、乾燥送風経路３４の流出部２０はラビリンスシール２４の内側に形成される。
【産業上の利用可能性】
【００８７】
以上のように、本発明にかかる洗濯機は、運転終了後、排水フィルターを乾いた状態にすることができ、不快臭の発生を抑制することができるので、洗濯機として有用である。
【符号の説明】
【００８８】
１  筐体
２  水槽
３  ドラム（内槽）
８  モータ
９  給水弁（給水経路）
１０  給水配管（給水経路）
１３  排水弁（排水経路）
１４  排水配管（排水経路）
１６  排水フィルター（排水経路）
１７  送風経路
１９  第１の送風部
２０  流出部
２２  消臭部
２４  ラビリンスシール
２５  制御部
３１  タイマー部
３４  乾燥送風経路
４０  第２の送風部
４１  風路切替部
４２  流入部
【図１】
0006340593.tif 000002
【図２】
0006340593.tif 000003
【図３】
0006340593.tif 000004
【図４】
0006340593.tif 000005
【図５】
0006340593.tif 000006
【図６】
0006340593.tif 000007
【図７】
0006340593.tif 000008
【図８】
0006340593.tif 000009
【図９】
0006340593.tif 000010
【図１０】
0006340593.tif 000011
【図１１】
0006340593.tif 000012